(57)【要約】【課題】体温よりも４〜５度ほど低い温度状態を維持することができると共に、使用者などの体型に応じて高さを簡単に調整可能な枕を提案すること。【解決手段】安眠枕１は、その長方形の袋体２の内部中央部分の上側に、偏らない状態で乾燥させたハブソウの種子７が７００〜８００ｇ充填されており、この下側部分および外周部分には繊維綿８が充填されている。ハブソウの種子７の温度は体温よりも４〜５度ほど低いので、頭が冷却されて、快眠状態を得ることができる。袋体２の短辺中央には開口部４があり、ここから、繊維綿８を出し入れしてその充填量を調整することにより、中央部分の高さ、硬さを好みに応じて調整できる。【選択図】図２
0003111106.tif 000002
【実用新案登録請求の範囲】
【請求項１】
枕充填物の少なくとも一部にハブソウの種子を用いていることを特徴とする枕。
【請求項２】
請求項１において、
枕中央部分に前記ハブソウの種子が充填されていることを特徴とする枕。
【請求項３】
請求項１または２において、
前記ハブソウの種子は乾燥したままのものであることを特徴とする枕。
【請求項４】
請求項１ないし３のうちのいずれかの項において、
前記ハブソウの種子が少なくとも７００ｇ充填されていることを特徴とする枕。
【請求項５】
請求項１ないし４のうちのいずれかの項において、
前記ハブソウの種子として、純葉の種子と小の種子とが重量比で１：１の割合で混合されたものを用いることを特徴とする枕。
【請求項６】
請求項１ないし５のうちのいずれかの項において、
枕中央部分に充填されている枕充填物は厚さ方向に上下に分かれており、
上側の枕充填物が前記ハブソウの種子であることを特徴とする枕。
【請求項７】
請求項６において、
枕中央部分の下側および、当該枕中央部分を取り囲む枕外周部分に充填されている枕充填物は、繊維綿であることを特徴とする枕。
【請求項８】
請求項６または７において、
前記枕中央部分には、平行に延びる複数の筒状収納部が形成されており、
各筒状収納部に前記ハブソウの種子が充填されていることを特徴とする枕。
【請求項９】
請求項８において、
通気性および吸水性を備えた綿などの布から形成される袋体の内部に、前記枕充填物が充填されており、
当該袋体の上面部分の裏面に縫い付けたライナーによって、前記筒状収納部が形成されていることを特徴とする枕。
【請求項１０】
請求項９において、
前記袋体には、前記繊維綿を出し入れ可能な開閉口が形成されていることを特徴とする枕。
【請求項１１】
請求項９または１０において、
前記袋体は長方形であり、
前記枕充填物が充填された状態での当該袋体の長辺方向の寸法は６０〜７５ｃｍであり、その短辺方向の寸法は３９〜４７ｃｍであり、
前記枕中央部分の厚さが約８ｃｍであり、このうち、前記ハブソウの種子の充填部分の厚さが約５ｃｍであり、この下側の繊維綿充填部分の厚さが約３ｃｍであることを特徴とする枕。
【考案の詳細な説明】
【技術分野】
【０００１】
本考案は快適な睡眠を得ることのできる枕に関するものである。
【背景技術】
【０００２】
枕は快適な睡眠を得るために重要であり、快眠が得られるように、その充填物として、羽毛、穀物殻、ヒノキなどの木屑、プラスチック製のストローパイプ、小石などが用いられている。
【考案の開示】
【考案が解決しようとする課題】
【０００３】
しかしながら、一般的に用いられている枕は、睡眠中に頭の熱が蓄積して温められ、熟睡するために適温と言われる体温より４〜５度ほど低い温度状態を維持することができない。また、理想的な枕の高さは、体型、好みなどによって人それぞれであるが、従来の枕は、使用者が希望する好みの高さに合わせることが簡単にできなかった。
【０００４】
本考案の課題は、このような点に鑑みて、体温よりも４〜５度ほど低い温度状態を維持することができる枕を提案することにある。
【０００５】
また、本考案の課題は、体温よりも４〜５度ほど低い温度状態を維持することができると共に、使用者などの体型、好みに応じて高さを簡単に調整可能な枕を提案することにある。
【課題を解決するための手段】
【０００６】
上記の課題を解決するために、本考案の枕は、枕充填物の少なくとも一部に、ハブソウ（エビスグサ）の種子を用いていることを特徴としている。
【０００７】
ハブソウ（エビスグサ）は、薬用として畑で栽培されるマメ科の一年草であり、ハブ茶の原料として一般に知られている。ハブソウの種子の温度は体温より４〜５度くらい低く、通気性もある。したがって、睡眠中において人体の頭からの熱が蓄積することがなく、継続して、体温より低い温度状態が維持される。よって、心地よい安眠をもたらす効果が得られる。
【０００８】
また、ハブソウの種子は漢方薬草として知られており、枕充填物として使用することにより、後頭部のつぼを刺激し、眠りが浅い、頭が重いといった症状に効果的である。
【０００９】
さらに、ハブソウの種子は血液の流れを良くする効果があるので、枕充填物として使用することにより、頭皮を刺激し、血行を良くし、髪の毛の成長を促すとともに、頭皮を保護する作用も期待できる。
【００１０】
ここで、本考案の枕は、枕中央部分に前記ハブソウの種子が充填されていることを特徴としている。一般に、枕中央部分に頭を載せるので、少なくとも当該部分にハブソウの種子を充填しておけばよい。
【００１１】
また、本考案の枕は、前記ハブソウの種子として乾燥したままのものを用いることを特徴としている。乾燥させたままのものを用いることにより、その効果を損なうことなく最大限に引き出すことができる。
【００１２】
さらに、本考案の枕は、前記ハブソウの種子が少なくとも７００ｇ充填されていることを特徴としている。７００ｇ未満では、頭部からの熱が枕内部に蓄積してしまい、枕温度が上昇して体温に近くなってしまうので、体温より４ないし５度程度低い快眠が得られる温度状態を維持できない。
【００１３】
さらにまた、本考案の枕は、前記ハブソウの種子として、純葉の種子と小の種子とが重量比で１：１の割合で混合されたものを用いることを特徴としている。純葉の種子は、中国四川省および江蘇省で栽培されており、高血圧および神経疲労を和らげる働きがある。小の種子は、中国雲南省および台湾で採取される野生のものであり、眼精疲労回復と、肝臓の熱を下げる働きがある。
【００１４】
次に、本考案の枕は、枕中央部分に充填されている枕充填物が厚さ方向に上下に分かれており、上側の枕充填物が前記ハブソウの種子であり、枕中央部分の下側および、当該枕中央部分を取り囲む枕外周部分に充填されている枕充填物が繊維綿であることを特徴としている。
【００１５】
この場合、ハブソウの種子が偏らないように、前記枕中央部分に平行に延びる複数の筒状収納部を形成し、各筒状収納部に前記ハブソウの種子を充填しておけばよい。
【００１６】
また、典型的な構成では、吸水性および通気性を備えた綿などの布から形成される袋体の内部に、前記枕充填物が充填されており、この場合には、当該袋体の上面部分の裏面に縫い付けたライナーによって、前記筒状収納部を形成すればよい。
【００１７】
さらに、体型などに合わせて枕の高さを簡単に調節できるようにするためには、前記袋体に、前記繊維綿を出し入れ可能な開閉口を形成しておけばよい。このようにすれば、ハブソウの種子を減らすことなく、枕の高さを調整できるので好ましい。
【００１８】
さらには、前記袋体は一般には長方形とされ、この場合には、前記枕充填物が充填された状態での当該袋体の長辺方向の寸法を６０〜７５cmとし、その短辺方向の寸法を３９〜４７cmとすることが望ましい。このように、一般に市販されている枕より大きくすると、頭部の全体を包むことができるので、神経をリラックスさせる効果が増強される。また、中央部分の厚さは約８cmとされ、そのうちハブソウの種子が充填されている部分の厚さが約５cmとされ、その下側の繊維綿の充填部分の厚さが約３cmとされる。
【考案の効果】
【００１９】
本考案の枕は、その充填物としてハブソウの種子を用いている。ハブソウの種子の温度は、体温よりも４ないし５度程度低いので、これを用いることにより、頭を常に冷やすことができ、快眠が得られる。これと共に、ハブソウの種子のもつ薬用効果も期待できる。
【００２０】
また、本考案の枕は、その中央部分の上側にハブソウの種子が充填され、それ以外の部分の繊維綿が充填されており、繊維綿の充填量を調整することにより簡単に高さを調整できる。したがって、快眠が得られると共に、体型、好みに合った高さの枕を提供することができる。
【考案を実施するための最良の形態】
【００２１】
以下に、図面を参照して、本考案を適用した安眠枕の一例を説明する。
【００２２】
図１は安眠枕の概略斜視図であり、図２は、図１に示す安眠枕の概略断面図である。これらの図に示すように、本例の安眠枕１は、平面形状が略長方形に形成されている袋体２と、この中に充填されている枕充填物３とを備えている。
【００２３】
袋体２は、通気性のある可撓性のシート素材から形成されており、その一方の短辺縁には一定幅の開口部４が形成されている。開口部４はファスナ４ａによって封鎖されている。本例では、袋体２の素材として肌触りが良く吸水性に優れた綿布を用いている。
【００２４】
袋体２における上面部分２ａの中央部分の裏面には、綿製の長方形ライナー５が手縫いによって縫い付けられている。本例では、ライナー５の四周縁部分が袋体２の上面部分２ａの裏面に縫いつけられていると共に、枕長辺方向（幅方向）に平行に延びる一定間隔の８本の縫い目によって当該上面部分２ａの裏面に縫い付けられている。そして、これらの縫い目によって、枕幅方向に平行に延びる９本の筒状の袋部分６が形成されている。
【００２５】
これら９本の筒状の袋部分６には、それぞれ、乾燥したハブソウの種子７が充填されている。また、袋体２の内部にはその開口部４から繊維綿８が充填されている。このように、枕充填物として、袋体２の内部における枕中央部分の上側部分にはハブソウの種子７が充填されており、その下側部分および外周側部分には繊維綿８が充填されている。充填状態においては、枕１は、その上面部分２ａの中央部分が僅かに湾曲し、この湾曲部分にかまぼこ状の突部が配列された状態となる。
【００２６】
ここで、例えば、ライナー５の縫い付けを、手作業によってハブソウの種子７が片寄らないように調整しながら行い、硬さやバランスを調整することが望ましい。
【００２７】
本例の安眠枕１の寸法は次の通りである。充填した状態における長辺方向の長さａが約６０cm、前後方向である短辺方向の長さｂが約３９cm、厚さが約８cmとなっている。したがって、本例の安眠枕１は、一般に市販されている枕に比べて一回り大きく形成されている。
【００２８】
また、ハブソウの種子７が充填されている中央部分の寸法は、幅方向の長さｃが約３８cm、前後方向の長さｄが約３０cm、厚さが約８cmとなっている。また、中央部分の下側には約８００グラムの繊維綿８が厚さが約３cmとなるように充填されており、上側の各筒状の袋部分６には厚さ（径）が約５cmとなるように、７００グラム〜８００グラムのハブソウの種子７が充填されている。
【００２９】
さらに、本例の安眠枕１では、ハブソウの種子７として、純葉の種子と小の種子とが重量比で１：１の割合で混合されたものを用いている。純葉の種子は、中国四川省および江蘇省で栽培されており、高血圧および神経疲労を和らげる働きがある。小の種子は、中国雲南省および台湾で採取される野生のものであり、眼精疲労回復と、肝臓の熱を下げる働きがある。
【００３０】
このように構成した本例の安眠枕１では、その枕充填物として、乾燥したハブソウ（エビスグサ）の種子を用いている。ハブソウは、薬用として畑で栽培されるマメ科の一年草であり、ハブ茶の原料として一般に知られている。ハブソウの種子の温度は体温より４〜５度くらい低く、通気性もある。したがって、睡眠中において人体の頭からの熱が蓄積することがなく、継続して、体温より低い温度状態が維持される。よって、心地よい安眠をもたらす効果が得られる。
【００３１】
特に、本例では、ハブソウの種子が７００ｇないし８００ｇ充填されている。７００ｇ未満では、頭部からの熱が枕内部に蓄積してしまい、枕温度が上昇して体温に近くなってしまうので、体温より４ないし５度程度低い快眠が得られる温度状態を維持することが困難である。これに対して、本例では、枕の温度を快眠に適した温度、すなわち、体温よりも４〜５度低い状態に保持できる。
【００３２】
また、就寝中においては、体は休んでいるが、脳は常に働いている。本例の安眠枕１を用いれば、中枢神経が興奮状態にあっても、ハブソウの種子７による効果により、中枢神経の興奮が緩和され、快眠が期待できる。快眠によって健康を維持でき、免疫力が高まるので、本例の安眠枕１は、病気の予防と同時に病気の治癒効果も期待できる。
【００３３】
さらに、ハブソウの種子を枕充填物として使用することにより、後頭部のつぼを刺激し、眠りが浅い、頭が重いといった症状に効果的である。また、ハブソウの種子は血液の流れを良くする効果があるので、枕充填物として使用することにより、頭皮を刺激し、血行を良くし、髪の毛の成長を促すとともに、頭皮を保護する作用も期待できる。
【００３４】
これに加えて、安眠枕１の短辺に形成した開口部４を開けて、そこから手を入れて中央部下側および周辺部分の繊維綿８の一部を出し入れすることができる。繊維綿８の充填量をこのようにして調整することにより、使用者の好みに応じた高さ、硬さの枕を実現できる。これによっても安眠効果を期待できる。
【図面の簡単な説明】
【００３５】
【図１】本考案を適用した安眠枕の概略斜視図である。
【図２】図１に示す安眠枕の概略断面図である。
【符号の説明】
【００３６】
１  安眠枕
２  袋体
２ａ  上面部分
３  枕充填物
４  開口部
４ａ  ファスナ
５  ライナー
６  筒状の収納部
７  ハブソウの種子
８  繊維綿
【図１】
0003111106.tif 000003
【図２】
0003111106.tif 000004